(57)【特許請求の範囲】
【請求項１】
冊子に付された磁気情報を読み取って所定の情報を印刷する冊子プリンタであって、
前記冊子の挿入を受け付ける挿入部と、
挿入された前記冊子を前記磁気情報の読み取り位置まで搬送する搬送部と、
前記読み取り位置に搬送された前記冊子に付された磁気情報を読み取る読取部と、
前記読取部を前記磁気情報の短手方向に動かす駆動部と、
前記磁気情報の長手方向のある位置で前記駆動部によって動かされた前記読取部が得た出力信号の値に基づいて、前記長手方向のある位置での前記磁気情報の読み取り位置を定める位置確立処理を前記長手方向に繰り返し行うことにより、前記冊子プリンタにおける前記磁気情報の読み取り位置を確定させる解析部と、
を備えることを特徴とする冊子プリンタ。
【請求項２】
前記解析部は、前記出力信号の値が前記磁気情報が付されていることを示す第１の閾値に達したか否かを判定して前記第１の閾値に達した位置を定め、前記出力信号の値が前記磁気情報が付されていないことを示す第２の閾値に満たなくなったか否かを判定して前記第２の閾値に満たなくなった位置を定め、前記第１の閾値に達した位置と前記第２の閾値に満たなくなった位置との中間点を、前記長手方向のある位置での前記磁気情報の読み取り位置として定める、
ことを特徴とする請求項１に記載の冊子プリンタ。
【請求項３】
前記挿入部は複数の冊子の挿入を受け付け、
前記搬送部は、一の冊子について前記解析部が前記磁気情報の読み取り位置を確定させた場合、続いて前記複数の冊子のうちの他の冊子を前記磁気情報の読み取り位置まで搬送し、
前記解析部は、搬送された前記複数の冊子について、繰り返し前記磁気情報の読み取り位置を確定させ、前記複数の冊子のそれぞれについて確定した前記磁気情報の読み取り位置の中間値を算出し、算出した前記中間値を前記冊子プリンタにおける前記磁気情報の読み取り位置として確定させる、
ことを特徴とする請求項１または２に記載の冊子プリンタ。
【請求項４】
前記冊子プリンタを保守するための保守モードと、取引を実行するためのオンラインモードとを切り替える制御部をさらに備え、
前記制御部は、前記解析部が前記冊子プリンタにおける前記磁気情報の読み取り位置を確定した場合、前記保守モードから前記オンラインモードに切り替えて、前記解析部が確定させた前記磁気情報の読み取り位置を更新する、
ことを特徴とする請求項１〜３のいずれか１項に記載の冊子プリンタ。
【請求項５】
前記解析部は、前記第１の閾値に達した位置を定める一方、前記第２の閾値に満たなくなった位置を定めることができないと判定した場合、前記冊子が異常であると判断して処理を中断させる、
ことを特徴とする請求項２に記載の冊子プリンタ。
【請求項６】
前記解析部が前記冊子が異常であると判断した場合、前記搬送部が前記冊子の吸入方向および排出方向に繰り返し搬送するように、前記搬送部を駆動する搬送駆動部をさらに備える、
ことを特徴とする請求項５に記載の冊子プリンタ。
【発明の詳細な説明】
【技術分野】
【０００１】
本発明は、銀行等の金融機関で使用される現金自動取引装置ＡＴＭ（Automated  teller  machine）や通帳記帳機等の通帳を扱う取引装置、特に、磁気ストライプ読み取り機能が必要ないわゆる冊子プリンタ装置で通帳を取り扱う方法に関する。
【背景技術】
【０００２】
従来、金融機関などで顧客に取引履歴を提示するために使用される冊子、原子力施設で働く従業員の放射線被爆量を記録する被爆記録帳など、紙葉類を綴じ合わせて作成した冊子に、磁性体を貼り付けて個別識別用情報（例えば、冊子や冊子の利用者等を識別するための情報）を書き込んだ、いわゆる磁気ストライプ付通帳がある。このような磁気ストライプ付通帳の磁気ストライプを読み取る技術としては、例えば、特許文献１に開示されている通帳読取装置がある。
【０００３】
この通帳読取装置では、数種類の磁気ストライプデータフォーマットを予め記録しておき、磁気ストライプに記載されたデータの読み取りが失敗したとき、磁気ストライプ読取位置を磁気ストライプに対して平行に、通帳挿入口から奥側又は手前側に順次変化させて読み取ったり、あらかじめ定められた磁気データフォーマットに従って読み取り方法を順次変更させて磁気ストライプに記載されたデータを読み取っている。そして、磁気ストライプに記載されたデータの読み取りに成功した読み取り位置及びデータ属性（例えば、データのフォーマットや記録密度等）を、新たなデフォルト値としている。
【先行技術文献】
【特許文献】
【０００４】
【特許文献１】特開２０１０−２１１７５８号公報
【発明の開示】
【発明が解決しようとする課題】
【０００５】
近年、例えば、水平綴じ通帳(ＩＳＯ８４８４  ６．１に記載)に分類されている通帳では、同一の銀行が発行した通帳であるにもかかわらず、通帳に対して磁気ストライプデータを書き込む機能を有する機器の不具合を主要要因として、その通帳下端から磁気ストライプ中心位置が一定の分布をもって分散する傾向にあることが知られている。具体的には、通帳の製造工程における不具合、通帳を取り扱う支店毎の通帳発行業務の特異性(例えば、磁性体にすでに書き込まれた磁気ストライプを通帳に目視で貼り付ける場合)による不具合、経年変化によって磁気ストライプの貼り付け位置がずれる不具合、通帳発行システム担当側の無関心（例えば、意図的に位置ずれした磁気ストライプを元に貼り直さない等）等、機械的あるいは人為的な要因が複雑に重なって、磁気ストライプの中心位置が分散する傾向にある。
【０００６】
図１１は、磁気ストライプが付された通帳の例を示す図であり、図１２は、磁気ストライプの分布の例を示す図である。図１１および図１２に示す例では、支店αにおいては、銀行推奨位置１２２に対して位置１２３の近傍（通帳の端側）に磁気ストライプの中心位置が分布する冊数の割合が多い一方、支店βにおいては、銀行推奨位置１２２に対して位置１２１の近傍（通帳の中心側）に磁気ストライプ中心が分布する冊数の割合が多くなっている。このように、磁気ストライプの中心位置は、上述した様々な理由により、支店毎に通帳下端から磁気ストライプ中心位置がばらついてしまう。その結果、全国各地にある機器の保守担当者は、このような磁気ストライプを読み取る装置を保守する場合、磁気投影剤に代表される可視化機材を複数冊の通帳に対して適用し、磁気ストライプが最も多く分布する位置の調査を行った後、各地域や支店に適合するようにその位置を算定する必要がある。例えば、装置を支店αに設置する場合には通帳端からの位置情報「ａ」を補正情報として設定し、装置を支店βに設置する場合には通帳端からの位置情報「ｂ」を補正情報として設定する。そして、図１３に示すような装置が有する不揮発性メモリ等の地域補正格納部に、これらの補正情報を格納することにより、地域事情に適した地域補正作業を行う。
【０００７】
しかしながら、このような地域補正を行うためには、磁気ストライプの分布位置を可視化後、通帳上にある磁気ストライプの位置を統計的手法を用いて算定しなければならず、補正が煩雑となっていた。さらに、可視化のためには、各地に分散した保守部門に対して装置を納入した業者が可視化機材を提供する必要がある。また、地域補正策定作業は煩雑なため、補正情報が誤って設定される場合があるという問題がある。
【０００８】
また、特許文献１では、読み取り位置および読み取りフォーマットを自動的に判定する仕様のため、図１４に示すような一般的な銀行システムの接続形態では、利用者が誤って磁気ストライプが同じような位置にある他行発行の通帳を装置に挿入した場合であっても、磁気ストライプの読取りが成功してしまう。その結果、上位装置が自動的に読み取られた個別識別情報をホストコンピュータに送信し、個別識別情報を照合してしまう。この場合、他行発行の通帳であるため照合失敗となるが、利用者は照合結果が分かるまで待たされてしまうという問題がある。さらに、無駄な照合を行うというシステム側の負担も大きくなってしまうという問題があった。
【０００９】
本発明は、上記に鑑みてなされたものであって、複雑な補正をすることなく適切に磁気ストライプの読取り位置を設定するとともに、無駄な照合を行わせることのない冊子プリンタを提供することを目的とする。
【課題を解決するための手段】
【００１０】
上述した課題を解決し、目的を達成するために、本発明にかかる冊子プリンタは、冊子に付された磁気情報を読み取って所定の情報を印刷する冊子プリンタであって、前記冊子の挿入を受け付ける挿入部と、挿入された前記冊子を前記磁気情報の読み取り位置まで搬送する搬送部と、前記読み取り位置に搬送された前記冊子に付された磁気情報を読み取る読取部と、前記読取部を前記磁気情報の短手方向に動かす駆動部と、前記磁気情報の長手方向のある位置で前記駆動部によって動かされた前記読取部が得た出力信号の値に基づいて、前記長手方向のある位置での前記磁気情報の読み取り位置を定める位置確立処理を前記長手方向に繰り返し行うことにより、前記冊子プリンタにおける前記磁気情報の読み取り位置を確定させる解析部と、を備えることを特徴とする。
【発明の効果】
【００１１】
本発明によれば、複雑な補正をすることなく適切に磁気ストライプの読取り位置を設定するとともに、無駄な照合を行わせることのない冊子プリンタを提供することができるという効果を奏する。
【図面の簡単な説明】
【００１２】
【図１】本発明の実施の形態における冊子プリンタの物理的な構成の例を示す図である。
【図２】図１に示した冊子プリンタの機能的な構成を示す図である。
【図３】冊子プリンタが行う磁気ストライプの設定読取処理の処理手順を示すフローチャートである。
【図４】吸入シーケンスの処理手順を示すフローチャートである。
【図５】位置合わせシーケンスの処理手順を示すフローチャートである。
【図６】中心位置確立シーケンスの処理手順を示すフローチャートである。
【図７】排出シーケンスの処理手順を示すフローチャートである。
【図８】確定中心位置確立シーケンスの処理手順を示すフローチャートである。
【図９】最終確定中心位置確立シーケンスの処理手順を示すフローチャートである。
【図１０】磁気ストライプが下面に付された冊子が、保守員によって磁気ストライプの長手方向に挿入され、搬送された場合の様子を示す図である。
【図１１】磁気ストライプが付された通帳の例を示す図である。
【図１２】磁気ストライプの分布の例を示す図である。
【図１３】装置が有する不揮発性メモリ等の地域補正格納部に記憶される情報の例を示す図である。
【図１４】一般的な銀行システムの接続形態の例を示す図である。
【発明を実施するための形態】
【実施例１】
【００１３】
以下に添付図面を参照して、本発明にかかる冊子プリンタの実施の形態を詳細に説明する。以下では、本発明にかかる冊子プリンタが、金融機関に採用されている現金自動取引装置（ＡＴＭ：Automated  teller  machine）に適用されている場合について説明しているが、冊子の頁をめくる機能を有しているものであれば、特にこれに限定されるものではない。
【００１４】
図１は、本発明の実施の形態における冊子プリンタ５０１の物理的な構成の例を示す図である。図１に示すように、冊子プリンタ５０１は、冊子を搬送するための搬送路５９１と、その搬送路５９１に沿って冊子挿入口Ａ部から順に、複数の搬送ローラ対（搬送ローラ対５２１、搬送ローラ対５０８、搬送ローラ対５１２）と、搬送される冊子を検知するための複数の冊子検知センサ（冊子検知センサ５０９、冊子検知センサ５２０）と、冊子に所定の情報を印字する印字部５０４と、冊子に付された磁気ストライプを読み取るためのＭＳヘッド１０２と、上述した各搬送ローラ対を駆動する搬送モータ６１０とを有して構成されている。
【００１５】
図２は、図１に示した冊子プリンタ５０１の機能的な構成を示す図である。図２に示すように、冊子プリンタ５０１は、主制御部６０４と、搬送部６０２と、磁気ストライプ読込部６５０と、保守モード受付部６３２と、不揮発記憶部６８９と、印字部５０４とを有している。
【００１６】
主制御部６０４は、ＣＰＵ（Central  Processing  Unit）等の演算装置から構成され、冊子プリンタ５０１の各部の動作を制御する。
【００１７】
冊子プリンタ５０１は、主制御部６０４を中心に、主制御部６０４と搬送部６０２とが信号線６８９を介して接続され、主制御部６０４と磁気ストライプ読込部６５０とは信号線６９０を介して接続され、主制御部６０４と保守員のみが扱うことができるスイッチ等から構成される保守モード受付部６３２とは信号線６９２を介して接続される。また、主制御部６０４と不揮発性のメモリ等から構成される不揮発記憶部６８９とは信号線６９３を介して接続され、主制御部６０４と印字部５０４は信号線６９１を介して接続され、主制御部６０４は、信号線６９４を介して上位装置６７０と接続されている。
【００１８】
このため、上位装置６７０からの指示を主制御部６０４が解釈し、搬送部６０２、不揮発記憶部６８９、印字部５０４、磁気ストライプ読込部６５０等の各部に対して、適時指示をすることにより、冊子に付された磁気ストライプの読み込み、印字の機能を提供する。
【００１９】
また、搬送部６０２は、搬送ローラ対５２１と、搬送ローラ対５０８と、搬送ローラ対５１２とが、搬送モータ６１０に接続され、搬送モータ６１０は搬送部６０２の各部の動作を制御する搬送制御部６５１に信号線６８３を介して接続されている。図１に示したように、挿入口Ａの方向から見て左右（図１では奥側方向、手前方向。すなわち、搬送路に平行であって、冊子の搬送方向に垂直な方向）に位置が変更可能な冊子検知センサ５０９および冊子検知センサ５２０は、それぞれ信号線６８０および信号線６８２を介して搬送制御部６５１に接続される。これらの構成が故、搬送部６０２は、搬送制御部６５１を中心として、挿入された冊子を検知し搬送することができる。
【００２０】
また、磁気ストライプ読込部６５０は、磁性体表面を摺動させる摺動機構６０６ａの上に備えられた磁界の増減を連続的な電流として出力するＭＳヘッド１０２と、摺動機構６０６ａを駆動するＭＳモータ６０６と、ＭＳヘッド１０２からの出力波形（出力信号）を信号線６９６を介して受け取りその出力波形を二値化した後に所定の磁気フォーマットに変換する磁気解析部６５３と、ＭＳモータ６０６とは信号線６８４を介して接続され、磁気解析部６５３とは信号線６９７を介して接続され、ＭＳモータ６０６と信号線６８４を介して接続された磁気ストライプ読込部６５０の各部の動作を制御する磁気制御部６５２から構成され、冊子表面に貼り付けられた磁性体の情報を読み取ることができる。なお、摺動機構６０６ａについては、従来から知られている種々の構成を適用することができる。
【００２１】
続いて、冊子プリンタ５０１が行う磁気ストライプの設定読取処理について説明する。なお、本実施例では、磁気ストライプが下面に付された冊子が、保守員によって磁気ストライプの長手方向に挿入され、搬送された場合について説明している。図１０は、磁気ストライプが下面に付された冊子が、保守員によって磁気ストライプの長手方向に挿入され、搬送された場合の様子を示す図であり、以下、フローチャートに沿って説明する。なお、以下では、冊子を磁気ストライプの長手方向に挿入して搬送し、ＭＳヘッド１０２を磁気ストライプの短手方向に移動させる動作を、磁気ストライプの長手方向に繰り返し実行してＭＳヘッド１０２からの出力波形を取得することとしているが、これとは逆に、冊子を磁気ストライプの短手方向に挿入して搬送し、ＭＳヘッド１０２を磁気ストライプの短手方向に移動させる動作を、磁気ストライプの長手方向に繰り返し実行してＭＳヘッド１０２からの出力波形を取得することとしてもよい。
【００２２】
図３は、冊子プリンタ５０１が行う磁気ストライプの設定読取処理の処理手順を示すフローチャートである。図３に示すように、まず、主制御部６０４は、保守員から保守モード受付部６３２が冊子プリンタ５０１を保守モードにするためのＯＮ信号を受け付けたか否かを判定し（ステップＳ３０１）、保守員から保守モード受付部６３２が冊子プリンタ５０１を保守モードにするためのＯＮ信号を受け付けたと判定した場合（ステップＳ３０１；Ｙｅｓ）、搬送制御部６５１は、冊子を吸入して搬送するための吸入シーケンスを実行する（ステップＳ３０２）。
【００２３】
図４は、吸入シーケンスの処理手順を示すフローチャートである。図４に示すように、搬送制御部６５１は、冊子が搬送されてきたことによって、冊子検知センサ５０９がＯＮ状態となったか否かを判定し（ステップＳ４０１）、冊子検知センサ５０９がＯＮ状態となったと判定した場合（ステップＳ４０１；Ｙｅｓ）、搬送モータ６１０を駆動して冊子を搬送する（ステップＳ４０２）。一方、搬送制御部６５１は、冊子検知センサ５０９がＯＮ状態となっていないと判定した場合（ステップＳ４０１；Ｎｏ）、そのまま待機する。
【００２４】
そして、搬送制御部６５１は、冊子が搬送されてきたことによって、冊子検知センサ５２０がＯＮ状態となったか否かを判定し（ステップＳ４０３）、冊子検知センサ５２０がＯＮ状態となったと判定した場合（ステップＳ４０３；Ｙｅｓ）、搬送モータ６１０を停止させ（ステップＳ４０４）、処理を終了させる。一方、搬送制御部６５１は、冊子検知センサ５２０がＯＮ状態となっていないと判定した場合（ステップＳ４０３；Ｎｏ）、そのまま搬送モータ６１０を駆動して冊子の搬送を続ける。この吸入処理を行うことによって、挿入された冊子は、図１に示す準備位置Ｐｒまで搬送されることとなる。その後、搬送制御部６５１は、ステップＳ３０３において、磁気ストライプの位置を合わせるための位置合わせシーケンスを実行する。
【００２５】
図５は、位置合わせシーケンスの処理手順を示すフローチャートである。図５に示すように、搬送制御部６５１は、冊子が吸入された直後（例えば、吸入後１秒以内）であるか否かを判定し(ステップＳ５０１)、冊子が吸入された直後であると判定した場合(ステップＳ５０１；Ｙｅｓ)、所定のカウンタ（不図示）によって、取り扱われた冊子の冊数を更新する（ステップＳ５０２）。
【００２６】
そして、搬送制御部６５１は、搬送モータ６１０を駆動して、摺動機構６０６ａが描く軌道と冊子上縁が重なる初期位置Ｐ０（図１、図１０）まで冊子を搬送し（ステップＳ５０３）、次回以降、この位置合わせシーケンスを行う回数を設定する（ステップＳ５０４）。具体的には、図１０に示すように、搬送制御部６５１は、冊子の上縁から下縁までの長さＬを改行量δで除算した値を、位置合わせ処理を行う回数ｎに設定する。改行量δは、磁気ストライプの長さ、あるいは磁気ストライプと冊子縁との間の余白を考慮し、例えば、９．５ｍｍ以下としてあらかじめ定められている。
【００２７】
一方、搬送制御部６５１は、冊子が吸入された直後でないと判定した場合(ステップＳ５０１；Ｎｏ)、搬送モータ６１０を改行量δだけ駆動し、冊子を次の位置Ｐｋまで搬送する（ステップＳ５０５）。そして、位置合わせシーケンスが終了すると、続いて、磁気ストライプ読込部６５０は、磁気ストライプの中心位置を定めるための中心位置確立シーケンスを実行する。
【００２８】
図６は、中心位置確立シーケンスの処理手順を示すフローチャートである。図６に示すように、磁気ストライプ読込部６５０の磁気制御部６５２は、ＭＳモータ６０６の動作量（動作範囲）を［κ］として定める（ステップＳ６０１）。この動作量は、図１０に示すように、ＭＳモータ６０６によって摺動機構６０６ａを駆動させる範囲を定めるものである。本実施例においては、冊子が磁気ストライプの長手方向に搬送されているため、他の磁気情報の誤読を避けるために、この動作量を制限し、取引を実行するオンライン時よりも小さい幅で設定される。具体的には、磁気ストライプ読込部６５０は、遮光センサが位置ｗ１のときにダークを検出した場合、冊子の最下端から頁幅の１／３程度の範囲を磁気ストライプが付されている範囲と判断し、上述した動作量を設定する一方、遮光センサが位置ｗ２のときにダークを検出した場合、冊子の最下端から全頁幅の範囲を磁気ストライプが付されている範囲と判断し、オンライン時の動作量を設定する。
【００２９】
その後、磁気制御部６５２は、ＭＳモータ６０６を搬送路側に駆動し、その位置（ライン）でＭＳヘッド１０２からの磁気ストライプの読み込みを開始し、図１０に示すような電流の出力波形（ＭＳヘッド電流量の出力波形）７４１を読み取る（ステップＳ６０２）。そして、磁気制御部６５２は、ＭＳモータ６０６が所定量駆動するとＭＳモータ６０６を停止させ、ＭＳヘッド１０２からの磁気ストライプの読み込みを停止する（ステップＳ６０３）。その後、磁気制御部６５２は、読み取ったＭＳヘッド電流量の出力波形７４１を磁気解析部６５３に転送し（ステップＳ６０４）、ＭＳモータ６０６を搬送路外の方向に所定動作量駆動する(ステップＳ６０５)。
【００３０】
磁気解析部６５３は、転送された出力波形７４１を受け取ると、そのラインでの出力値を解析し、図１０に示すように、出力がない状態（位置Ｏ）から磁気ストライプがあることを示す所定の閾値σ１以上に出力値が変化しているか否かを判定し（ステップＳ６０６）、出力がない状態から所定の閾値σ１以上に出力値が変化していないと判定した場合（ステップＳ６０６；Ｎｏ）、本処理を終了させ、磁気ストライプがない部分（あるいは磁気ストライプ以外の汚れ等が付着している部分）であると判断し、次のポイントの解析（次のラインでの解析）に進む。
【００３１】
一方、磁気解析部６５３は、出力がない状態から所定の閾値σ１以上に出力値が変化したと判定した場合（ステップＳ６０６；Ｙｅｓ）、その変化点の位置λｌ０を不揮発記憶部６８９に記録する（ステップＳ６０７）。さらに、磁気解析部６５３は、出力値がσ１以上から磁気ストライプがなくなったことを示す所定の閾値σ２以下に変化したか否かを判定し（ステップＳ６０８）、出力値がσ１以上から所定の閾値σ２以下に変化したと判定した場合（ステップＳ６０８；Ｙｅｓ）、その変化点の位置λｒ０を不揮発記憶部６８９に記録する（ステップＳ６０９）。
【００３２】
そして、磁気解析部６５３は、変化点の位置λｌ０およびλｒ０の中間点の位置λ０を算出し（ステップＳ６１０）、その値を不揮発記憶部６８９に記録し（ステップＳ６１１）、これまで中間点を算出した回数（検出回数Ｒｔｙｎ）を更新する（ステップＳ６１２）。
【００３３】
なお、磁気解析部６５３は、出力値がσ１以上から所定の閾値σ２以下に変化していないと判定した場合（ステップＳ６０８；Ｎｏ）、何らかのエラー（例えば、冊子が磁気ストライプの長手方向に挿入されていない場合、読取る部分が違っており冊子上縁から下縁まですべての領域において電流変化がない場合等の冊子異常）が生じたと判定し、処理を中断して図３に示した排出シーケンス（ステップＳ３０７）に進む。そして、中心位置確立シーケンスが終了すると、図３に示したステップＳ３０５に進む。この場合、そのラインでの変化点の位置や中間点の位置を求めることはできないが、このラインでの変化点の位置や中間点の位置を除いたそれまでに定められた他のラインでの変化点の位置や中間点の位置をベースとして、全体での変化点の位置や中間点の位置が求められることとなる。
【００３４】
そして、磁気解析部６５３は、冊子のすべてのライン（磁気ストライプの長手方向の位置Ｐｎ）において中間点を算出したか否かを判定し（ステップＳ３０５）、冊子のすべての位置Ｐｎにおいて中間点を算出していないと判定した場合（ステップＳ３０５；Ｎｏ）、ステップＳ３０３に戻って、全ての位置Ｐｋ（ｋ＝１〜ｎ）について処理が終了するまで、ステップＳ３０３〜Ｓ３０５の処理を繰り返す。一方、磁気解析部６５３は、冊子のすべての位置Ｐｎにおいて中間点を算出したと判定した場合（ステップＳ３０５；Ｙｅｓ）、排出シーケンス（ステップＳ３０７）に進む。図６に示した中心位置確立シーケンスが終了すると、冊子（Ｊ冊目）の全ての位置Ｐｋ（ｋ＝１〜ｎ）において、磁気ストライプの中間点の位置が算出され、その値が不揮発記憶部６８９に記憶されることとなる。
【００３５】
図７は、排出シーケンスの処理手順を示すフローチャートである。図７に示すように、搬送制御部６５１は、搬送モータ６１０を冊子の排出方向に駆動させ（ステップＳ７０１）、冊子が搬送されてきたことによって、冊子検知センサ５０９がＯＮ状態となって抜き取り可能な状態となったか否かを判定する（ステップＳ７０２）。そして、搬送制御部６５１は、冊子検知センサ５０９がＯＮ状態となって抜き取り可能な状態となったと判定した場合（ステップＳ７０２；Ｙｅｓ）、さらに、冊子が抜き取られて冊子検知センサ５０９がＯＦＦ状態となったか否かを判定する（ステップＳ７０３）。
【００３６】
そして、搬送制御部６５１は、冊子が抜き取られて冊子検知センサ５０９がＯＦＦ状態となったと判定した場合（ステップＳ７０３；Ｙｅｓ）、処理を終了させる。一方、搬送制御部６５１は、冊子が抜き取られて冊子検知センサ５０９がＯＦＦ状態となっていないと判定した場合（ステップＳ７０３；Ｎｏ）、さらに、排出シーケンスが冊子異常によって行われたものであるか否かを判定する（ステップＳ７０４）。冊子異常によって行われたものであるか否かの判定は、例えば、磁気解析部６５３が、図６に示した中心位置確立シーケンスのステップＳ６０８において冊子異常を検知した際に、その旨を不揮発記憶部６８９に記憶させておき、搬送制御部６５１が、不揮発記憶部６８９にその旨が記憶されているか否かを判定することによって判断する。なお、搬送制御部６５１は、冊子が抜き取られて冊子検知センサ５０９がＯＦＦ状態となっていないと判定した場合（ステップＳ７０３；Ｎｏ）、冊子が抜き取られるまで待機する。
【００３７】
そして、搬送制御部６５１は、排出シーケンスが冊子異常によって行われたものでないと判定した場合（ステップＳ７０４；Ｎｏ）、ステップＳ７０３に戻って、冊子検知センサ５０９がＯＦＦ状態になるまで待機する。一方、搬送制御部６５１は、排出シーケンスが冊子異常によって行われたものであると判定した場合（ステップＳ７０４；Ｙｅｓ）、搬送モータ６１０を駆動して、冊子の吸入および排出を繰り返すことにより、保守員に冊子異常であることを知らせる（ステップＳ７０５、Ｓ７０６）。そして、排出シーケンスが終了すると、磁気ストライプの中心位置を確定させるための確定中心位置確立シーケンス（ステップＳ３０８）を行う。このように、冊子の吸入および排出を繰り返すことにより、冊子異常をディスプレイ等の表示機器に表示させることなく保守員に知らせることができる。
【００３８】
図８は、確定中心位置確立シーケンスの処理手順を示すフローチャートである。図８に示すように、磁気解析部６５３は、図６に示した中心位置確立シーケンスにおいて算出された冊子（Ｊ冊目）の全ての位置Ｐｋ（ｋ＝１〜ｎ）における磁気ストライプの中間点の位置を不揮発記憶部６８９から読み出し、その中間値を算出する（ステップＳ８０１）。
【００３９】
そして、磁気解析部６５３は、算出した中間値を不揮発記憶部６８９に記録した後（ステップＳ８０２）、所定のカウンタ（不図示）によって、取り扱われた冊子の冊数を更新する（ステップＳ８０３）。ステップＳ８０３が終了すると、確定中心位置確立シーケンスが終了し、Ｊ冊目の磁気ストライプの位置が確定することとなる。そして、確定中心位置確立シーケンスが終了すると、ステップＳ３０９に進む。
【００４０】
ステップＳ３０９において、主制御部６０４は、保守員から保守モード受付部６３２が冊子プリンタ５０１を保守モードにするためのＯＮ信号を受け付けたままであるか否かを判定し（ステップＳ３０９）、保守員から保守モード受付部６３２が冊子プリンタ５０１を保守モードにするためのＯＮ信号を受け付けたままであると判定した場合（ステップＳ３０９；Ｙｅｓ）、ステップＳ３０２に戻って、Ｊ＋１冊目について以降の処理を繰り返し実行し、全ての冊子について、ステップＳ３０２〜Ｓ３０８の各処理を繰り返す。このように複数の全ての冊子についてステップＳ３０２〜Ｓ３０８の各処理を行うので、冊子プリンタ５０１が取り扱う冊子の読み取り位置の精度を高めることができ、より適切に磁気ストライプの読取り位置を設定することができる。
【００４１】
一方、主制御部６０４は、保守員から保守モード受付部６３２が冊子プリンタ５０１を保守モードにするためのＯＮ信号を受け付けたままでない、すなわちＯＦＦ信号を受け付けたと判定した場合（ステップＳ３０９；Ｎｏ）、最終的な磁気ストライプの中心位置を確定させるための最終確定中心位置確立シーケンス（ステップＳ３１０）を行う。
【００４２】
図９は、最終確定中心位置確立シーケンスの処理手順を示すフローチャートである。図９に示すように、磁気解析部６５３は、図８に示した確定中心位置確立シーケンスにおいて算出された全ての冊子の磁気ストライプの中心位置を不揮発記憶部６８９から読み出してその中間値を算出し（ステップＳ９０１、Ｓ９０２）、算出した中間値を最終的な磁気ストライプの中心位置として不揮発記憶部６８９に記録して格納する（ステップＳ９０３）。このように、ステップＳ３１０において最終確定中心位置確立シーケンスが終了した場合には、図１０に示したように、処理対象とした全ての冊子について、ＭＳヘッド電流量の出力波形７７１が読み取られ、変化点の位置λｌｋおよびλｒｋが特定され、中間点の位置λｋが算出され、最終的な磁気ストライプの中心位置が確定する。例えば、図１２および図１３に示した支店αの場合には、最終的な磁気ストライプの中心位置として支店αの運用に適した値ａが確定し、その値が不揮発記憶部６８９に記録されることとなる。この場合、磁気解析部６５３は、確定した最終的な磁気ストライプの中心位置を特定することによって、磁気ストライプの書き込み位置を判定することが可能となる。
【００４３】
最終確定中心位置確立シーケンスが終了すると、ステップＳ３０１に戻り、主制御部６０４は、保守員から保守モード受付部６３２が冊子プリンタ５０１を保守モードにするためのＯＮ信号を受け付けていない、すなわちＯＦＦ信号を受け付けたと判定した場合（ステップＳ３０１；Ｎｏ）、冊子プリンタ５０１を保守モードからオンラインモードに移行させ、上位装置６７０から磁気ストライプの読取指示を受け取ったか否かを判定する（ステップＳ３１１）。
【００４４】
そして、主制御部６０４は、上位装置６７０から磁気ストライプの読取指示を受け取ったと判定した場合（ステップＳ３１１；Ｙｅｓ）、不揮発記憶部６８９に最終的な磁気ストライプの中心位置が格納されているか否かを判定し（ステップＳ３１２）、不揮発記憶部６８９に最終的な磁気ストライプの中心位置が格納されていると判定した場合（ステップＳ３１２；Ｙｅｓ）、磁気ストライプの読取り位置を、算出された最終的な磁気ストライプの中心位置に置換し（ステップＳ３１３）、置換された中心位置で磁気ストライプの読み取りを実行する（ステップＳ３１４）。例えば、主制御部６０４は、図１２および図１３に示した支店αの場合には、銀行推奨値ｄを算出したａに置換し、支店αの運用に適した置換後の値ａの位置で磁気ストライプの読み取りを実行する。
【００４５】
このように、本実施例における冊子プリンタ５０１が上述した各シーケンスを実行するので、複雑な補正をすることなく適切に磁気ストライプの読取り位置を設定するとともに、無駄な照合を行わせることがなくなる。例えば、冊子プリンタ５０１が保守モードの場合、磁気解析部６５３が複数箇所に亘ってＭＳヘッドの下端位置を判定し、不揮発記憶部６８９に記録するようにした結果、保守員が、本来は顧客が使用する通帳等の冊子の挿入方向を横方向から縦方向にするだけで、ＭＳヘッド位置を調査するための機器の配布が不要となり、保守員の作業時間を短くすることができ、保守員への作業負担を軽減することができる。また、そのような機器を使用することがなくなるため、保守員による補正値の誤入力を防ぐことができる。さらに、利用者が誤って磁気ストライプが同じような位置にある他行発行の通帳を装置に挿入し、照合失敗となった場合において、無駄な照合に伴うシステム的なトラフィックの増大を防ぐことができるとともに、利用者の取り扱い時間の短縮化が可能となる。
【産業上の利用可能性】
【００４６】
本発明は、銀行等の金融機関で使用される現金自動取引装置や通帳記帳機等の通帳を扱う取引装置、その自動取引装置で有用である。
【符号の説明】
【００４７】
１０２        ＭＳヘッド
５０１        冊子プリンタ
５０４        印字部
５０８        搬送ローラ対
５０９        冊子検知センサ
５１２        搬送ローラ対
５２０        冊子検知センサ
５２１        搬送ローラ対
５９１        搬送路
６０２        搬送部
６０４        主制御部
６０６        ＭＳモータ
６０６ａ      摺動機構
６１０        搬送モータ
６３２        保守モード受付部
６５０        磁気ストライプ読込部
６５１        搬送制御部
６５２        磁気制御部
６５３        磁気解析部
６８９        不揮発記憶部
６７０        上位装置。
【図１】
0005852504.tif 000002
【図２】
0005852504.tif 000003
【図３】
0005852504.tif 000004
【図４】
0005852504.tif 000005
【図５】
0005852504.tif 000006
【図６】
0005852504.tif 000007
【図７】
0005852504.tif 000008
【図８】
0005852504.tif 000009
【図９】
0005852504.tif 000010
【図１０】
0005852504.tif 000011
【図１１】
0005852504.tif 000012
【図１２】
0005852504.tif 000013
【図１３】
0005852504.tif 000014
【図１４】
0005852504.tif 000015